(57)【要約】【課題】利用者が乗りかごに乗ったり降りたりするときの案内を充実させて利用者の利便性を向上させるとともに、非常時において利用者に取るべき対応を案内する点を充実させて、利用者に対する安心感を向上させるとともに安全性を向上させること。【解決手段】エレベータ装置は、昇降路８０内を所定方向に移動する乗りかご２と、乗りかご２に設けられ、該乗りかご２内を投影する投影装置４と、投影装置４の出光側に設けられ、該投影装置４から照射される光のうち所定の波長の光を遮蔽可能な遮蔽部１０と、遮蔽部１０を制御する制御部５と、を備え、ている。遮蔽部１０は、層状に設けられ、作動状態と非作動状態とが切換可能である複数の遮蔽板１０ａからなっている。制御部５は、複数の遮蔽板１０ａのうち所定の遮蔽板１０ａを作動させ、当該遮蔽板１０ａによって投影装置４から投影される光を遮蔽させるように制御する。【選択図】図１
2009161285.tif 000002
【特許請求の範囲】
【請求項１】
昇降路内を所定方向に移動する乗りかごと、
前記乗りかごに設けられ、該乗りかご内を投影する投影装置と、
前記投影装置の出光側に設けられ、該投影装置から照射される光のうち所定の波長の光を遮蔽可能な遮蔽部と、
前記遮蔽部を制御する制御部と、を備え、
前記遮蔽部は、層状に設けられ、作動状態と非作動状態とが切換可能である複数の遮蔽板からなり、
前記制御部は、複数の前記遮蔽板のうち所定の遮蔽板を作動させ、当該遮蔽板によって投影装置から投影される光を遮蔽させるように制御することを特徴とするエレベータ装置。
【請求項２】
各遮蔽板の内容を記憶する記憶部と、
前記複数の遮蔽板のうち用いられる遮蔽板を切り換える切換手段と、を備え、
前記制御部は、予め定められたスケジュールに従って、前記切換手段により用いられる遮蔽板を切り換えることを特徴とする請求項１に記載のエレベータ装置。
【請求項３】
前記遮蔽板は、前記制御部からの信号に基づいて、所定の領域の光を遮蔽するように制御され、前記投影装置からの光が前記乗りかご内の所定の位置に投影されるように制御されることを特徴とする請求項１に記載のエレベータ装置。
【請求項４】
前記制御部は、前記遮蔽板の作動状態および非作動状態を所定の間隔で繰り返して、乗りかご内に投影される光を点滅させることを特徴とする請求項１に記載のエレベータ装置。
【請求項５】
前記複数の遮蔽板のうちの少なくとも一つは、作動状態時において、投影装置から投影される光のうち所定の絵柄情報以外の光を遮蔽することを特徴とする請求項１に記載のエレベータ装置。
【請求項６】
前記複数の遮蔽板のうちの少なくとも一つは、作動状態時において、投影装置から投影される光のうち所定の文字情報以外の光を遮蔽することを特徴とする請求項１に記載のエレベータ装置。
【請求項７】
前記複数の遮蔽板のうちの少なくとも一つは非常時において作動され、
当該遮蔽板は、前記投影装置から投影される光のうちの所定の領域の光を遮蔽して、乗りかごの存在位置に関する情報、乗りかご内の利用者が非常時に行うべき操作に関する情報、または、乗りかご内の利用者が非常時に行うべき操作に必要な情報を表示する光を通過させることを特徴とする請求項１に記載のエレベータ装置。
【請求項８】
前記乗りかごに、該乗りかごに加わる荷重を検出する複数の荷重検出装置をさらに備え、
前記制御部は、各荷重検出装置から出力される信号に基づいて、乗りかごの最適な荷重バランスを演算するとともに、当該演算結果に基づいて適切な遮蔽板を作動させて、荷重バランスを調整するために乗りかごの利用者が移動すべき移動先を投影することを特徴とする請求項１に記載のエレベータ装置。
【請求項９】
前記乗りかごは、二つ以上のドアを有し、
前記制御部は、開閉されるドアの近辺を投影するように適切な遮蔽板を作動させることを特徴とする請求項１に記載のエレベータ装置。
【請求項１０】
前記切換手段は、乗りかごに設けられた操作盤によって操作可能であることを特徴とする請求項２に記載のエレベータ装置。
【請求項１１】
前記切換手段は、携帯端末装置または遠隔制御装置によって操作可能であることを特徴とする請求項２に記載のエレベータ装置。
【請求項１２】
前記乗りかごの側壁は、透明状態および不透明状態が切換可能な部材で構成され、
前記制御部は、前記遮蔽部の前記遮蔽板が作動状態にあるときに、前記乗りかごの側壁を不透明な状態に切り換えることを特徴とする請求項１に記載のエレベータ装置。
【発明の詳細な説明】
【技術分野】
【０００１】
本発明は、乗りかごに、乗りかご内を照射する投影装置が設けられたエレベータ装置に関連している。
【背景技術】
【０００２】
図７（ａ）（ｂ）に示すように、エレベータ装置は、昇降路８０内を上下方向に移動する乗りかご２と、乗りかご２にロープ８５を介して連結された釣合錘６１と、ロープ８５が巻き掛けられる滑車８１と、を備えている。また、乗りかご２には開閉自在のドア１が設けられている。このようなエレベータ装置の乗りかご２の天井２ａには、光源７１を有する照明装置７０が設置され、当該照明装置７０によって、乗りかご２内全体を明るくしていた。
【０００３】
従来のエレベータ装置としては、例えば、乗りかごの天井に配置された投影器によって、光源から発生した光を、透過型液晶表示装置を介して乗りかごの壁の投影面に投影させることにより、仮想制御パネルを表示し、かつ、乗りかごの状況、状態、動きと相関して、仮想制御パネルのウィンドウを更新するとともに、運転者によって選択されたボタンは、接触パッドによって検知され、これに対応するエレベータの動作を開始させるものが知られている（例えば、特許文献１参照)。
【０００４】
また、複数のテナント指定鋼を設け、利用者によりテナントが指定された際に、表示画面内の文字情報により報知することにより、テナントの利用客に対するサービスの向上を図るエレベータ装置も知られている(例えば、特許文献２参照)。
【０００５】
また、乗りかご内に設置されたモニタに、エレベータの停止階に応じた画像を変更可能に表示することによりそれぞれのフロア案内システムを得るエレベータ装置も知られている(例えば、特許文献３参照)。
【０００６】
また、乗りかごの天井に互いに対向する照明板を設け、そのすき間に不規則に繊維を挿入し、レーザ光線を繊維に照射することで、乗りかご内の天井照明を立体的かつ複雑なものにするエレベータ装置も知られている(例えば、特許文献４参照)。
【０００７】
また、液晶調光ガラス板５０の上面に模様を印刷して上下に重合して乗りかごの天井の下方に配置し、電圧を印加して透明にすることで模様を浮き出させることによって、エレベータの天井照明を変化に富み、かつ立体感及び遠近感に優れたものにするエレベータ装置も知られている(例えば、特許文献５参照)。
【０００８】
また、案内板の表示体周囲に蛍光体を配置して、停電時にもよく視覚認識できて、非常時の処置が読み取りやすいエレベータの案内板も知られている(例えば、特許文献６参照)。
【０００９】
また、回転板の両面にそれぞれ常備灯及び予備灯を設け、常備灯の点灯状態が異常となったときに、回転板を反転させて予備灯により乗りかご内の照明を引き続き行うようにして、利用者に不便さを与えないようにしているエレベータ装置も知られている（例えば、特許文献７参照)。
【００１０】
さらに、乗りかごの天井の下方にそれぞれ異なった模様が施された複数枚の液晶調光ガラス板が上下に間隔を保って配置され、電圧を印加する液晶調光ガラス板を選択することによって、異なる模様を浮き出させる乗りかごの天井照明装置が知られている(例えば、特許文献８参照)。
【特許文献１】特開２０００−２６０３３号公報
【特許文献２】特開２００３―２９２２５９号公報
【特許文献３】特開２００３―３２１１６６号公報
【特許文献４】特開平５―７８０６２号公報
【特許文献５】特開平８―１６５０７８号公報
【特許文献６】特開平９―２６３３６９号公報
【特許文献７】特開平１０―８７２３７号公報
【特許文献８】特許３３４８５５０号
【発明の開示】
【発明が解決しようとする課題】
【００１１】
しかしながら、上述したいずれの特許文献も、いかに美的感覚に強くうったえるものを作り出すかという点を課題にしており、利用者が乗りかごに乗ったり降りたりするとき（乗降時）の案内や、非常時において利用者に取るべき対応を案内するということには配慮がなされていない。このため、これらの特許文献による発明によれば、利用者の快適性の向上は図られたとしても、利用者の利便性の向上、あるいは、利用者に対する安心感および安全性の向上ということは考慮されていないという問題点があった。
【００１２】
本発明は、このような点を考慮してなされたものであり、利用者が乗りかごに乗ったり降りたりするときの案内を充実させて利用者の利便性を向上させるとともに、非常時において利用者に取るべき対応を案内する点を充実させて、利用者に対する安心感を向上させるとともに安全性を向上させるエレベータ装置を提供することを目的とする。
【課題を解決するための手段】
【００１３】
本発明によるエレベータ装置は、
昇降路内を所定方向に移動する乗りかごと、
前記乗りかごに設けられ、該乗りかご内を投影する投影装置と、
前記投影装置の出光側に設けられ、該投影装置から照射される光のうち所定の波長の光を遮蔽可能な遮蔽部と、
前記遮蔽部を制御する制御部と、を備え、
前記遮蔽部は、層状に設けられ、作動状態と非作動状態とが切換可能である複数の遮蔽板からなり、
前記制御部は、複数の前記遮蔽板のうち所定の遮蔽板を作動させ、当該遮蔽板によって投影装置から投影される光を遮蔽させるように制御する。
【００１４】
本発明によるエレベータ装置において、各遮蔽板の内容を記憶する記憶部と、前記複数の遮蔽板のうち用いられる遮蔽板を切り換える切換手段と、を備え、前記制御部は、予め定められたスケジュールに従って、前記切換手段により用いられる遮蔽板を切り換えることが好ましい。
【００１５】
本発明によるエレベータ装置において、前記遮蔽板は、前記制御部からの信号に基づいて、所定の領域の光を遮蔽するように制御され、前記投影装置からの光が前記乗りかご内の所定の位置に投影されるように制御されることが好ましい。
【００１６】
本発明によるエレベータ装置において、前記制御部は、前記遮蔽板の作動状態および非作動状態を所定の間隔で繰り返して、乗りかご内に投影される光を点滅させることが好ましい。
【００１７】
本発明によるエレベータ装置において、前記複数の遮蔽板のうちの少なくとも一つは、作動状態時において、投影装置から投影される光のうち所定の絵柄情報以外の光を遮蔽することが好ましい。
【００１８】
本発明によるエレベータ装置において、前記複数の遮蔽板のうちの少なくとも一つは、作動状態時において、投影装置から投影される光のうち所定の文字情報以外の光を遮蔽することが好ましい。
【００１９】
本発明によるエレベータ装置において、前記複数の遮蔽板のうちの少なくとも一つは非常時において作動され、当該遮蔽板は、前記投影装置から投影される光のうちの所定の領域の光を遮蔽して、乗りかごの存在位置に関する情報、乗りかご内の利用者が非常時に行うべき操作に関する情報、または、乗りかご内の利用者が非常時に行うべき操作に必要な情報を表示する光を通過させることが好ましい。
【００２０】
本発明によるエレベータ装置において、前記乗りかごに、該乗りかごに加わる荷重を検出する複数の荷重検出装置をさらに備え、前記制御部は、各荷重検出装置から出力される信号に基づいて、乗りかごの最適な荷重バランスを演算するとともに、当該演算結果に基づいて適切な遮蔽板を作動させて、荷重バランスを調整するために乗りかごの利用者が移動すべき移動先を投影することが好ましい。
【００２１】
本発明によるエレベータ装置において、前記乗りかごは、二つ以上のドアを有し、前記制御部は、開閉されるドアの近辺を投影するように適切な遮蔽板を作動させることが好ましい。
【００２２】
本発明によるエレベータ装置において、前記切換手段は、乗りかごに設けられた操作盤によって操作可能であることが好ましい。
【００２３】
本発明によるエレベータ装置において、前記切換手段は、携帯端末装置または遠隔制御装置によって操作可能であることが好ましい。
【００２４】
本発明によるエレベータ装置において、前記乗りかごの側壁は、透明状態および不透明状態が切換可能な部材で構成され、前記制御部は、前記遮蔽部の前記遮蔽板が作動状態にあるときに、前記乗りかごの側壁を不透明な状態に切り換えることが好ましい。
【発明の効果】
【００２５】
本発明によれば、制御部が、複数の遮蔽板のうち所定の遮蔽板を作動させ、当該遮蔽板によって投影装置から投影される光を遮蔽させるように制御するようにすることで、利用者が乗りかごに乗ったり降りたりするときの案内や、非常時において利用者に取るべき対応を案内する点を充実させて、安全性を向上させるとともに利用者に対する安心感を向上させることができる。
【発明を実施するための形態】
【００２６】
第１の実施の形態
以下、本発明に係るエレベータ装置の第１の実施の形態について、図面を参照して説明する。ここで、図１乃至図３は本発明の第１の実施の形態を示す図である。
【００２７】
図１（ａ）（ｂ）に示すように、エレベータ装置は、昇降路８０内を上下方向に移動する乗りかご２と、乗りかご２にロープ８５を介して連結された釣合錘６１と、ロープ８５が巻き掛けられた滑車８１と、を備えている。また、乗りかご２には開閉自在のドア１が設けられている。さらに、乗りかご２の天井２ａには、乗りかご２内を投影する投影装置４が設けられている。なお、図１（ａ）は本実施の形態によるエレベータ装置の側方図を示しており、図１（ｂ）は本実施の形態によるエレベータ装置の正面図を示している。
【００２８】
また、図１（ａ）（ｂ）に示すように、投影装置４の出光側には、投影装置４から照射される光のうち所定の波長の光を遮蔽可能な遮蔽部１０が設けられている。さらに、遮蔽部１０には、当該遮蔽部１０を制御する制御部５が接続されている。なお、この制御部５は、乗りかご２の走行などの動作も制御する。
【００２９】
図２（ａ）に示すように、遮蔽部１０は、層状に設けられ、作動状態と非作動状態とが切換可能である複数の遮蔽板１０ａからなっている。また、制御部５は、複数の遮蔽板１０ａのうち所定の遮蔽板１０ａを作動させ、当該遮蔽板１０ａによって投影装置４から投影される光を遮蔽させるように制御するように構成されている。
【００３０】
また、図１（ａ）（ｂ）において、制御部５には、各遮蔽板１０ａの内容を記憶する記憶部２１と、複数の遮蔽板１０ａのうち用いられる遮蔽板１０ａを切り換える切換手段１１とが接続されている。そして、制御部５は、予め定められたスケジュールに従って、切換手段１１により用いられる遮蔽板１０ａを切り換えるように、遮蔽板１０ａを制御することもできるし、さらに、遮蔽板１０ａの作動状態および非作動状態を所定の間隔で繰り返して乗りかご２内に投影される光を点滅させるように、遮蔽板１０ａを制御することもできる。
【００３１】
また、各遮蔽板１０ａは、制御部５からの電気信号に基づいて、所定の領域の光を遮蔽するように制御され、投影装置４からの光が乗りかご２内の所定の位置に投影されるように制御されることもできる（図１（ａ）（ｂ）および図２（ａ）参照）。なお、乗りかご２内の所定の位置を照射する光のみを通過させる遮蔽板１０ａを予め準備しておけば、作動状態にする遮蔽板１０ａを選択するだけで、乗りかご２内の所定の位置を照射することができる。
【００３２】
また、図２（ａ）において、複数の遮蔽板１０ａのうちの幾つか（一つも含む）は、作動状態時において、投影装置４から投影される光のうち所定の絵柄情報以外の光を遮蔽するような模様になっている。さらに、複数の遮蔽板１０ａのうちの幾つか（一つも含む）は、作動状態時において、投影装置４から投影される光のうち所定の文字情報以外の光を遮蔽するような模様になっている。
【００３３】
なお、記憶部２１には、投影装置４により投影される様々な画像のコンテンツも記憶されており、画像選択手段１２は、このコンテンツと、その投影箇所（遮蔽板１０ａの遮蔽する箇所）とを切り換えることができる。また、記憶部２１に記憶されたコンテンツとして、一般の静止画や動画も考えられるが、投影画像として、矢印などの絵文字情報や文字情報が含まれていてもよい。
【００３４】
ところで、層状になった遮蔽板１０ａは、意匠性を向上させるために立体的に配置させてもよいし（図２（ｂ）参照）、遮蔽板１０ａ自体の形状を、平面状ではなく球面などの立体形状としてもよい。なお、図２（ｂ）において、立体形状の表面を形成する各遮蔽板１０ａは、制御部５によって独立に制御される。このため、例えば、投影装置４からの光が立体形状の一側面に配置された遮蔽板１０ａのみを通過するように、遮蔽部１０を制御することによって、乗りかご２内の所定の位置に画像（白色光を含む）を投影することができる。
【００３５】
次に、このような構成からなる本実施の形態の作用について述べる。
【００３６】
制御部５から何ら電気信号が送られてこなければ、遮蔽部１０の遮蔽板１０ａは作動状態とならず（非作動状態のままであり）、投影装置４からの光を遮蔽することなく、乗りかご２内に投影装置４からの光がそのまま投影され、常備灯としての役割を果たしている（図３参照）。
【００３７】
他方、制御部５から電気信号が送られてくると、遮蔽部１０の遮蔽板１０ａが作動状態となり、投影装置４からの光を遮蔽することとなる（図３参照）。そして、当該遮蔽板１０ａによって遮蔽されなかった光が透過され、乗りかご２内に所定の模様、絵柄情報、文字情報などの画像を映し出すこととなる（図３参照）。
【００３８】
このように、本実施形態によれば、遮蔽部１０に含まれる複数の遮蔽板１０ａのうち、いずれかの遮蔽板１０ａを作動状態にするだけで、乗りかご２内に所定の画像を映し出すことができる。このため、複数の光源を設けて、これらの光源を組み合わせて乗りかご２内に画像を形成するよりも、効率よく照明を行う照明効果が得られるとともに、省エネの効果を奏することができる。
【００３９】
また、照明スペースの節減、設計自由度の向上、コスト低減を図ることもできる。さらに、遮蔽板１０ａが複数あるので、作動状態にする遮蔽板１０ａを適宜変更することができ、選択性を高めるとともに、アミューズメント性を高めることもできる。
【００４０】
このとき、制御部５は、予め定められたスケジュールに従って遮蔽板１０ａを切り換えるように、切換手段１１を制御することができる。
【００４１】
さらに、制御部５は、各遮蔽板１０ａの所定の領域の光を遮蔽するように制御して、投影装置４からの光が、乗りかご２内の所定の位置にのみ投影されるように制御することもできる。このように、乗りかご２内の所定の位置のみを投影することによって、乗りかご２内にいる利用者を、その投影画像に従って移動させることができる。このため、利用者が乗りかご２に乗ったり降りたりするときに案内することができ、利用者に対する利便性を向上させることができる。
【００４２】
このとき、利用者を所定の位置に誘導するために、矢印などの絵文字情報を使うことで、音声ガイダンスの代わりに、視覚により、利用者を容易に誘導案内することができる。また、操作盤３１を投影する場合にあっては、例えば、「このボタンを押して、係員と連絡をとってください」などの文字情報が投影されると、さらにわかりやすい。なお、このような絵文字情報は、所定の遮蔽板１０ａを作動状態として、投影装置４から投影される光のうち、このような絵文字情報以外の光を遮蔽することによって投影することができる。
【００４３】
また、本実施の形態によれば、遮蔽板１０ａの所定の領域の光を遮蔽するように制御するだけで、投影箇所を切り換えることができる。このため、固定された照明などの設備を設ける場合と比較して、このような照明などの設備を移動させることなく、複数設けられた偏光板の遮蔽する位置を指定することができるので、簡素な構造で選択的に効率よく照明を行う照明効果が得られるとともに、省エネの効果を奏することができる。
【００４４】
また、記憶部２１には、投影装置４により投影される様々な画像のコンテンツ（単色光を含む）が記憶されており、切換手段１１によって、このコンテンツと、その投影箇所（遮蔽板１０ａの遮蔽する箇所）とを切り換えることができる。このため、利用者に対して、投影画像のコンテンツを楽しむというアミューズメント性をもたせるという効果を奏することもできる。
【００４５】
なお、投影装置４に対する投影指示は、必ずしも監視センタの表示装置で確認して行うことには限定されず、保守員の携帯端末で行うこともできる。
【００４６】
また、制御部５は、遮蔽板１０ａの作動状態および非作動状態を所定の間隔で繰り返すように、遮蔽板１０ａを制御することもできる（点滅状態にすることができる）。このため、投影方法にバリエーションをもたせることができ、照明としての効果とは別に、投影箇所を際立たせるために点滅させることもできる。また、このような点滅状態とすることによって、乗りかご２の利用者の注意を喚起することができ、利用者に効率よく情報を伝達することができる。
【００４７】
さらに、本実施の形態によれば、乗りかご２の天井２ａに照明装置を設置する場合と比べて、取り付け寸法あるいは乗りかご２内の意匠を考慮しなければならないという制限条件もなく、遮蔽部１０を容易に設置することができる。また、照明装置を設置する場合と比べて、部品を削減することができるので、コストを抑えることもできる。
【００４８】
変形例１
次に、本発明の第１の実施の形態の変形例１について説明する。本変形例１は、地震、火災、停電などが発生したときに、非常時対応の管制運転モードとなるエレベータ装置に関するものである。遮蔽部１０に含まれる複数の遮蔽板１０ａのうちの少なくとも一つの遮蔽板１０ａが、非常時において作動される遮蔽板１０ａからなっている。この遮蔽板１０ａは、投影装置４から投影される光の一部を遮蔽して、乗りかご２の存在位置に関する情報、乗りかご２内の利用者が非常時に行うべき操作に関する情報、および、乗りかご２内の利用者が非常時に行うべき操作に必要な情報に関する情報を表示する光を通過させるものである。その他の構成は図１乃至図３に示す第１の実施の形態と略同一である。
【００４９】
地震、火災、停電などが発生したときには、まず、エレベータ装置が、非常時対応の管制運転モードとなる。
【００５０】
次に、制御部５によって、非常時において作動される遮蔽板１０ａが作動状態とされる。このとき、制御部５によって、遮蔽板１０ａの所定の領域の光を遮蔽するように制御して、乗りかご２内の所定の箇所が照射されるようにしてもよい。
【００５１】
このように、非常時において作動される遮蔽板１０ａが作動状態とされることによって、乗りかご２の存在位置に関する情報、乗りかご２内の利用者が非常時に行うべき操作に関する情報、および、乗りかご２内の利用者が非常時に行うべき操作に必要な情報を表示する光が、遮蔽板１０ａを通過して、乗りかご２内の所定の位置に表示される。
【００５２】
このため、乗りかご２内の利用者は、容易に緊急時の対応をすることができる。特に、停電になったときには、従来のエレベータ装置であれば、バックアップ電源で非常灯を点灯させていただけであるのに対して、本変形例１では、非難に必要な様々な情報を乗りかご２内に映し出すことができ、非常時において利用者に取るべき対応を案内する点を充実させて、利用者に対する安心感を向上させるとともに安全性を向上させることができる。
【００５３】
変形例２
次に、本発明の第１の実施の形態の変形例２について説明する。本変形例２は、乗りかご２は、二つ以上のドア１を有するエレベータ装置に関するものである。制御部５が、開閉されるドア１の近辺を投影するように適切な遮蔽板１０ａを作動状態にするものである。その他の構成は図１乃至図３に示す第１の実施の形態と略同一である。
【００５４】
本変形例２においては、制御部５が、開閉されるドア１の近辺を投影するように、予め準備しておいた遮蔽板１０ａのうち適切な遮蔽板１０ａを作動状態にし、当該遮蔽板１０ａによって遮蔽されなかった光が各ドア１の開閉に応じてドア１の近辺を照射する。このように、各階に停止するたびに、開閉する２方向のいずれかのドア１開閉に応じてドア１近辺が投影されるので、利用者は乗りかご２が停止するたびにどちらのドア１が開閉するかについて迷うということがなくなる。このため、利用者の利便性を向上させることができる。
【００５５】
なお上記では、投影箇所を切り換える方法として、乗りかご２内の所定の位置を照射する光のみを通過させる遮蔽板１０ａを作動状態にする方法を用いて説明したが、これに限られることなく、制御部５によって所定の領域の光を遮蔽するように遮蔽板１０ａを制御してもよい。
【００５６】
ところで、このような構成は、複数のドア１を有するダブルデッキエレベータの場合にも同様に適用することができ、同様の効果を奏することができる。
【００５７】
変形例３
次に、本発明の第１の実施の形態の変形例３について説明する。本変形例３は、乗りかご２の利用者であっても、乗りかご２に設けられた操作盤３１によって、切換手段１１を操作することができるものである。その他の構成は図１乃至図３に示す第１の実施の形態と略同一である。
【００５８】
このように、本変形例３では、乗りかご２の利用者であっても、乗りかご２に設けられた操作盤３１によって、切換手段１１を操作することができるので、利用者が、自由に、投影装置４から照射され遮蔽板１０ａを通過した光によって乗りかご２内に映し出される画像のコンテンツと、画像の映し出される箇所を切り換えることができる。なお、ここで、画像の映し出される箇所を切り換える方法としては、乗りかご２内の所定の位置を照射する光のみを通過させる遮蔽板１０ａを作動状態にする方法を用いてもよいし、所定の領域の光を遮蔽するように遮蔽板１０ａを制御してもよい。
【００５９】
このため、非常時における利用者の行動パターンにあわせて、乗りかご２内に映し出されるコンテンツや投影箇所を切り換えることができるのみならず、利用者の好みに応じて、投影画像のコンテンツを楽しむというアミューズメント性をもたせることもできる。
【００６０】
第２の実施の形態
次に、図４（ａ）（ｂ）により、本発明の第２の実施の形態について説明する。図４（ａ）（ｂ）に示す第２の実施の形態は、乗りかご２に、乗りかご２に加わる荷重を検出する複数の荷重検出装置４０をさらに備えたものである。また、制御部５は、各荷重検出装置４０から出力される信号に基づいて、乗りかご２の最適な荷重バランスを演算するとともに、当該演算結果に基づいて、予め準備しておいた遮蔽板１０ａのうち適切な遮蔽板１０ａを作動させて、荷重バランスを調整するために乗りかご２の利用者が移動すべき移動先を投影させる。その他の構成は図１乃至図３に示す第１の実施の形態と略同一である。
【００６１】
図４（ａ）（ｂ）に示す第２の実施の形態において、図１乃至図３に示す第１の実施の形態と同一部分には同一符号を付して詳細な説明は省略する。
【００６２】
本実施の形態では、制御部５が、各荷重検出装置４０から出力される信号に基づいて、乗りかご２の最適な荷重バランスを演算するとともに、当該演算結果に基づいて適切な遮蔽板１０ａを作動させて、荷重バランスを調整するために乗りかご２の利用者が移動すべき移動先を投影させる。このため、乗りかご２の利用者に荷重バランスを調整するための移動を喚起させて、利用者を移動させることができる。この結果、乗りかご２のバランスを最適化することができ、利用者の乗り心地を改善することができる。
【００６３】
なお上記では、投影箇所を切り換える方法として、乗りかご２内の所定の位置を照射する光のみを通過させる遮蔽板１０ａを作動状態にする方法を用いて説明したが、これに限られることなく、制御部５によって所定の領域の光を遮蔽するように遮蔽板１０ａを制御してもよい。
【００６４】
第３の実施の形態
次に、図５（ａ）（ｂ）により、本発明の第３の実施の形態について説明する。図５（ａ）（ｂ）に示す第３の実施の形態は、切換手段１１が、携帯端末装置（または遠隔制御装置）４２によって操作可能となっているものである。その他の構成は図１乃至図３に示す第１の実施の形態と略同一である。
【００６５】
図５（ａ）（ｂ）に示す第３の実施の形態において、図１乃至図３に示す第１の実施の形態と同一部分には同一符号を付して詳細な説明は省略する。
【００６６】
まず、保守員またはエレベータ管理者が携帯する携帯端末装置（または遠隔制御装置）４２の操作を行う。
【００６７】
次に、携帯端末装置（または遠隔制御装置）４２によって入力された操作内容が、制御部５に伝達される。このことにより、投影装置４から照射され、遮蔽板１０ａを経て、乗りかご２内に映し出されるコンテンツが切り換えられるとともに、その投影箇所が切り換えられる。なお、ここで、投影箇所を切り換える方法としては、乗りかご２内の所定の位置を照射する光のみを通過させる遮蔽板１０ａを作動状態にする方法を用いてもよいし、所定の領域の光を遮蔽するように遮蔽板１０ａを制御してもよい。
【００６８】
本実施形態によれば、保守員またはエレベータ管理者が、携帯する携帯端末装置（または遠隔制御装置）４２を操作することにより、コンテンツとその投影箇所を切り換えることができるので、保守員またはエレベータ管理者が調整保守あるいは非常時の保守サービスを行う際に、別に照明を準備し、セッティングするという手間が省ける。このため、保守員またはエレベータ管理者は、調整保守あるいは非常時の保守サービスを容易に行うことができる。
【００６９】
第４の実施の形態
次に、図６（ａ）（ｂ）により、本発明の第４の実施の形態について説明する。図６（ａ）（ｂ）に示す第４の実施の形態は、乗りかご２の側壁が、透明状態および不透明状態が切換可能な部材である液晶調光ガラス板５０で構成されているエレベータに関するものである。そして、制御部５は、遮蔽部１０の遮蔽板１０ａが作動状態にあるときに、乗りかご２の側壁を不透明な状態に切り換えるように構成されている。その他の構成は図１乃至図３に示す第１の実施の形態と略同一である。
【００７０】
図６（ａ）（ｂ）に示す第４の実施の形態において、図１乃至図３に示す第１の実施の形態と同一部分には同一符号を付して詳細な説明は省略する。
【００７１】
図６（ａ）（ｂ）において、乗りかご２の一側壁が、液晶調光ガラス板５０から構成されている。そして、この液晶調光ガラス板５０は、遮蔽部１０の遮蔽板１０ａが作動状態にあるときに、制御部５によって、乗りかご２の側壁を不透明な状態に切り換えられる。
【００７２】
このような液晶調光ガラス板５０は、電圧が印加されると透明となり、外部の景色が鑑賞できるのに対して、通常時すなわち液晶調光ガラス板５０に電圧が印加されていないときには、全面不透明（乳白色）なガラスとなり、外部の景色は遮断され、投影画像に対するスクリーンの役割を果たす。
【００７３】
具体的には、通常時においては、液晶調光ガラス板５０には、電圧が印加された状態となっている。このため、乗りかご２の利用者は、外部の景色を鑑賞することができる。
【００７４】
他方、投影装置４から画像を投影したいときには、液晶調光ガラス板５０に印加されていた電圧が止められ、投影箇所の切り換えに対応する液晶調光ガラス板５０が不透明に切り換わる。こうして、全面不透明（乳白色）となった液晶調光ガラス板５０がスクリーンとなって、投影画像のコンテンツが、投影される。
【００７５】
なお、液晶調光ガラス板５０は、乗りかご２の四側壁全てに設けられてもよく、この場合には、画像の投影される箇所に応じて、対応した側壁に設けられた液晶調光ガラス板５０が不透明な状態に切り換えられてもよいし、全ての液晶調光ガラス板５０が不透明な状態に切り換えられてもよい。
【００７６】
本実施の形態によれば、投影装置４から画像を投影するときに、液晶調光ガラス板５０が不透明な状態に切り換えられるので、当該液晶調光ガラス板５０をスクリーンとして用いることができる。このため、展望用エレベータのような場合であっても、投影画像のコンテンツを楽しむというアミューズメント性をもたせることができる。
【００７７】
ところで、上述した各実施の形態および各変形例では、投影装置４が乗りかご２に設けられ、投影装置４による光が乗りかご２内に投影される態様を用いて説明したが、これに限られることなく、投影装置４を乗り場に設け、投影装置４による光が乗り場に投影されるようにしてもよい。
【図面の簡単な説明】
【００７８】
【図１】本発明の第１の実施の形態によるエレベータ装置を示す側方図と正面図。
【図２】本発明の第１の実施の形態によるエレベータ装置の遮蔽部を示す斜視図。
【図３】本発明の第１の実施の形態によるエレベータ装置の利用方法の一例を示すフロー図。
【図４】本発明の第２の実施の形態によるエレベータ装置を示す側方図と正面図。
【図５】本発明の第３の実施の形態によるエレベータ装置を示す側方図と正面図。
【図６】本発明の第４の実施の形態によるエレベータ装置を示す側方図と正面図。
【図７】従来のエレベータ装置を示す側方図と正面図。
【符号の説明】
【００７９】
１      ドア
２      乗りかご
４      投影装置
５      制御部
１０    遮蔽部
１０ａ  遮蔽板
１１    切換手段
２１    記憶部
３１    操作盤
４０    荷重検出装置
４２    携帯端末装置（または遠隔制御装置）
５０    液晶調光ガラス板
８０    昇降路
【図１】
2009161285.tif 000003
【図２】
2009161285.tif 000004
【図３】
2009161285.tif 000005
【図４】
2009161285.tif 000006
【図５】
2009161285.tif 000007
【図６】
2009161285.tif 000008
【図７】
2009161285.tif 000009